(57)【要約】【課題】吐水装置内での残水の滞留を抑えられる技術を提供する。【解決手段】水を吐き出すための吐出口１３と、上流側から水が送り込まれる流入口３５と、吐出口１３と流入口３５とを連通する吐出通路と、が内部に形成される吐水部材を備え、流入口３５は吐出通路の下壁面７１に形成され、下壁面には勾配を有する排水領域９０が設けられ、排水領域９０の勾配は、排水領域９０上の残水を流入口３５まで案内可能に設けられることを特徴とする。【選択図】図７
2019058701.tif 000002
【特許請求の範囲】
【請求項１】
水を吐き出すための吐出口と、上流側から水が送り込まれる流入口と、前記吐出口と前記流入口とを連通する吐出通路と、が内部に形成される吐水部材を備え、
前記流入口は前記吐出通路の下壁面に形成され、
前記下壁面には勾配を有する排水領域が設けられ、
前記排水領域の勾配は、該排水領域上の残水を前記流入口まで案内可能に設けられることを特徴とする吐水装置。
【請求項２】
前記排水領域の勾配は、前記下壁面において前記吐出口から前記流入口にかけての範囲を含むように設けられることを特徴とする請求項１に記載の吐水装置。
【請求項３】
前記排水領域は、勾配の異なる複数の傾斜面と、隣接する傾斜面間に形成される谷部と、を有し、
前記谷部は、その一端部が前記流入口に繋がるように設けられ、前記流入口に向かって下方に傾斜する勾配が設けられることを特徴とする請求項１または２に記載の吐水装置。
【請求項４】
前記谷部の一端部は、前記流入口に対して略直交する方向に延びるように設けられることを特徴とする請求項３に記載の吐水装置。
【請求項５】
前記流入口は前記吐出通路の下壁面に複数形成され、
前記排水領域には、前記複数の流入口のそれぞれに対応する複数の面領域が含まれ、
前記面領域の勾配は、該面領域上の残水を対応する流入口まで案内可能に設けられることを特徴とする請求項１から４のいずれかに記載の吐水装置。
【請求項６】
前記排水領域は、前記吐出通路の奥側にて該吐出通路を横幅方向に分けるように設けられる複数の奥側領域と、前記複数の奥側領域より前記吐出口側に設けられる入側領域とにより形成され、
前記複数の奥側領域は、前記複数の流入口のそれぞれに対応して設けられ、
前記奥側領域の勾配は、該奥側領域上の残水を対応する流入口まで案内可能に設けられ、
前記入側領域の勾配は、該入側領域上の残水を奥側領域まで案内可能に設けられることを特徴とする請求項５に記載の吐水装置。
【請求項７】
前記排水領域から前記流入口まで案内された残水を装置外部に排出可能に構成されることを特徴とする請求項１から６のいずれかに記載の吐水装置。
【請求項８】
吐水装置と、
前記吐水装置が取り付けられる基体と、を備え、
前記吐水装置は、水を吐き出すための吐出口と、上流側から水が送り込まれる流入口と、前記吐出口と前記流入口とを連通する吐出通路と、が内部に形成される吐水部材を有し、
前記流入口は前記吐出通路の下壁面に形成され、
前記吐水部材は、前記下壁面上の残水が前記流入口まで案内されるように、前記下壁面の少なくとも一部が水平面に対して傾斜した状態で前記基体に取り付けられることを特徴とする吐水装置の取付構造。
【発明の詳細な説明】
【技術分野】
【０００１】
本発明は、水を吐き出すための吐水装置とその取付構造に関する。
【背景技術】
【０００２】
従来より、膜状の吐水流を吐き出すための吐水装置が知られる（例えば、特許文献１参照）。これは浴槽のリム部に設置され、吐水口から吐水流が吐き出される。膜状の吐水流が滝状に流れ落ちる様子は美観に優れるうえ、入浴者の肩に吐水流をかける等してリラックス効果が得られる。
【先行技術文献】
【特許文献】
【０００３】
【特許文献１】特許第２００２−１５３３９１号公報
【発明の概要】
【発明が解決しようとする課題】
【０００４】
この種の吐水装置は、膜状の吐水流を吐き出せるように、吐水口に水を導く吐出通路が横長に形成される。この横長な吐出通路内には、吐水動作の終了後、吐水口等から水が排出されずに滞留し易くなる。装置内に残る水（以下、残水という）の滞留量が多くなることは衛生面から好ましくない。また、滞留する残水は冷たくなり、次回の吐水動作開始時に冷水として吐き出されるため、入浴者に不快感を与える原因となる。特許文献１の吐水装置では、装置内に滞留する残水に関して何ら考慮されておらず、更なる改善の余地がある。
【０００５】
本発明は、このような課題に鑑みてなされ、その目的は、吐水装置内での残水の滞留を抑えられる技術を提供することにある。
【課題を解決するための手段】
【０００６】
上記課題を解決するために、本発明のある態様の吐水装置は、水を吐き出すための吐出口と、上流側から水が送り込まれる流入口と、吐出口と流入口とを連通する吐出通路と、が内部に形成される吐水部材を備える。流入口は吐出通路の下壁面に形成され、下壁面には勾配を有する排水領域が設けられ、排水領域の勾配は、該排水領域上の残水を流入口まで案内可能に設けられる。
この態様によると、吐水動作の終了後、排水領域上の残水を流入口から排水できる。よって、吐出通路内での残水の滞留を抑えられ、吐出通路内を衛生的に保つことができる。
【０００７】
排水領域の勾配は、下壁面において吐出口から流入口にかけての範囲を含むように設けられてもよい。
この態様によると、吐出通路の広い範囲での残水の滞留を抑えられる。
【０００８】
排水領域は、勾配の異なる複数の傾斜面と、隣接する傾斜面間に形成される谷部と、を有してもよい。谷部は、その一端部が流入口に繋がるように設けられ、流入口に向かって下方に傾斜する勾配が設けられてもよい。
この態様によると、谷部上で残水が止まっても、そこより高位置から流れ落ちる他の残水と当たった時の勢いにより、止まった残水が再び流れ易くなり、残水の滞留をより抑えられる。
【０００９】
谷部の一端部は、流入口に対して略直交する方向に延びるように設けられてもよい。
この態様によると、谷部に沿って流れた残水が流入口に到達したとき、谷部と流入口とが繋がる位置を通る流入口の接線方向での残水の速度成分が小さくなる。この速度成分が大きくなると、残水が流入口周りに沿うように流れてから下方に流れ落ちやすくなるが、その速度成分が小さくなることで、流入口に到達した残水を下方にスムーズに落とすことができ、流入口近傍で残水を早期かつ安定して減らし易くなる。
【００１０】
流入口は吐出通路の下壁面に複数形成され、排水領域には、複数の流入口のそれぞれに対応する複数の面領域が含まれ、面領域の勾配は、該面領域上の残水を対応する流入口まで案内可能に設けられてもよい。
この態様によると、排水領域に単数の流入口を設けるよりも、排水領域の外縁部から流入口までの水平距離を小さくできる。この水平距離が大きいと、排水領域の下端位置から上端位置までの高さ寸法を大きく確保する必要があり、それだけ装置全体の大型化を招く。この点、水平距離を小さくできるため、その高さ寸法を抑えられ、装置全体の小型化を図れる。
【００１１】
排水領域は、吐出通路の奥側にて該吐出通路を横幅方向に分けるように設けられる複数の奥側領域と、複数の奥側領域より吐出口側に設けられる入側領域とにより形成され、複数の奥側領域は、複数の流入口のそれぞれに対応して設けられ、奥側領域の勾配は、該奥側領域上の残水を対応する流入口まで案内可能に設けられ、入側領域の勾配は、該入側領域上の残水を奥側領域まで案内可能に設けられてもよい。
この態様によると、各奥側領域では、排水し易くするための勾配を設定しつつ、入側領域では、各奥側領域の勾配の影響を抑えつつ、吐水し易くするための勾配を設定でき、設計の自由度が高くなる。
【００１２】
排水領域から流入口まで案内された残水を装置外部に排出可能に構成されてもよい。
この態様によると、装置内での残水の滞留をより抑えられる。
【００１３】
本発明の別の態様は、吐水装置の取付構造である。この吐水装置の取付構造は、吐水装置と、吐水装置が取り付けられる基体と、を備える。吐水装置は、水を吐き出すための吐出口と、上流側から水が送り込まれる流入口と、吐出口と流入口とを連通する吐出通路と、が内部に形成される吐水部材を有する。流入口は吐出通路の下壁面に形成され、吐水部材は、下壁面上の残水が流入口まで案内されるように、下壁面の少なくとも一部が水平面に対して傾斜した状態で基体に取り付けられる。
この態様によると、吐水動作の終了後、下壁面上の残水を流入口から排水できる。よって、吐出通路内での残水の滞留を抑えられ、吐出通路内を衛生的に保つことができる。
【発明の効果】
【００１４】
本発明によれば、吐出通路内での残水の滞留を抑えられる。
【図面の簡単な説明】
【００１５】
【図１】第１実施形態に係る吐水装置の使用状態を示す斜視図である。
【図２】第１実施形態に係る吐水装置に用いられる吐水システムを示す構成図である。
【図３】第１実施形態に係る吐水装置の正面図である。
【図４】図３のＡ−Ａ線断面図である。
【図５】第１実施形態に係る吐水装置の分解斜視図である。
【図６】第１実施形態に係る吐水部材の吐出通路を示す平面図である。
【図７】図７（ａ）は第１実施形態に係る吐出通路の下壁面に設けられる勾配を示す図であり、図７（ｂ）は下壁面に設けられる排水領域を示す
【図８】第１実施形態に係る吐出通路の下壁面に設けられる奥側領域の拡大図である。
【図９】第１実施形態に係る下壁面に設けられる谷部と流入口の近傍を示す図である。
【図１０】第２実施形態に係る吐水装置を用いた取付構造を示す側面断面図である。
【図１１】図１１（ａ）は第２実施形態に係る吐出通路の周壁面に設けられる勾配を示す図であり、図１１（ｂ）は周壁面に設けられる案内領域を示す図である。
【発明を実施するための形態】
【００１６】
［第１の実施の形態］
図１は本実施形態に係る吐水装置１０の使用状態を示す斜視図である。
吐水装置１０は浴槽装置２００に用いられる。浴槽装置２００は、吐水装置１０の他に、吐水装置１０が取り付けられる基体としての浴槽２１０を備える。浴槽２１０のリム部２１５には取付面２１７が設けられる。吐水装置１０は、取付面２１７に取り付けられる装置本体１１を備える。装置本体１１は横長扁平に形成され、膜状の横長な吐水流Ｗが吐出口１３から前方に吐き出される。
【００１７】
図２は吐水装置１０に用いられる吐水システム２２０を示す構成図である。
吐水システム２２０は、浴槽水２１１をポンプ２２１により汲み上げ、吐水装置１０及び吐水口２２３から吐水流を吐き出し、浴槽水２１１を循環して用いる。ポンプ２２１は、浴槽２１０の内部に位置する吸水口２２５に吸水路２２７を介して接続され、吸水口２２５から吸水路２２７を経由して浴槽水２１１を汲み上げる。ポンプ２２１には共通導水路２３５が接続され、共通導水路２３５には汲み上げた水が圧送される。
【００１８】
共通導水路２３５からは上部導水路２３７と下部導水路２３９が分岐して設けられる。上部導水路２３７は吐水装置１０の後述する導水部１５の給水口１６に接続され、下部導水路２３９は浴槽２１０の内部に位置する吐水口２２３に接続される。給水口１６は共通導水路２３５の分岐点２４１より高位置にあり、吐水口２２３は分岐点２４１より低位置にある。
【００１９】
給水口１６には共通導水路２３５から上部導水路２３７を通して水が圧送され、吐水装置１０の装置本体１１から膜状の吐水流Ｗが吐き出される。吐水口２２３には共通導水路２３５から下部導水路２３９を通して水が圧送され、気泡入りの吐水流が吐き出される。装置本体１１の吐水流Ｗは、入浴者の肩や首にかけることにより打たせ湯に似たリラックス感を入浴者に与えられる。吐水口２２３の吐水流は、入浴者の腰や背中に勢いよく当たることでマッサージ効果を与えられる。
【００２０】
図３は吐水装置１０の正面図である。
装置本体１１の前部には、横長なスリット状の吐出口１３が設けられる。導水部１５は、吐出口１３の横幅方向に間隔を空けて装置本体１１から下方に突き出るように複数設けられる。以下、吐出口１３の横幅方向を方向Ｘ、これに直交する水平方向を奥行方向Ｙ、鉛直方向を上下方向Ｚという。方向Ｘは後述する吐出通路３３の横幅方向とも一致する。
【００２１】
図４は吐水装置１０の側面断面図である。本図は図３のＡ−Ａ線断面図でもある。
導水部１５は、取付面２１７に形成される貫通孔２２９に挿通される。導水部１５の取付面２１７と反対側に突き出た部位にはナット等の固定部材２３１がねじ込み等により取り付けられる。装置本体１１は、固定部材２３１との間で浴槽２１０を挟み込むことにより浴槽２１０に固定される。なお、固定部材２３１と浴槽２１０の間にはＯリング等のシールリング２３３が介装される。
【００２２】
導水部１５には下流側に給水するための給水路１７が内部に形成され、その先端部には上部導水路２３７が接続される。給水路１７は、その上流側に上部導水路２３７から送られる水を受け入れる給水口１６が形成され、その下流側に給水路１７と吐出通路３３（後述する）を連通する流入口３５が形成される。給水路１７は給水口１６が流入口３５より低位置にあり、上下方向Ｚに延びるように形成される。また、給水路１７は上部導水路２３７と同軸上に並ぶように配置される。給水路１７や流入口３５は断面円形状に形成される。
【００２３】
給水路１７には、流入口３５側から給水口１６側にかけて、第１大径部１７ａと、テーパー部１７ｂと、小径部１７ｃと、第２大径部１７ｄとが形成される。第１大径部１７ａと第２大径部１７ｄは同じ内径に形成され、小径部１７ｃはこれらより内径が小さくなるように形成される。テーパー部１７ｂは流入口３５側から給水口１６側に向かうにつれて連続的に内径が小さくなるように形成される。小径部１７ｃと第２大径部１７ｄの間には段部１７ｅが形成される。
【００２４】
装置本体１１は、吐水部材１９と、外装カバー２１を備え、これらを組み付けて構成される。吐水部材１９は、吐出口１３が前部に形成される通路部２３と、通路部２３上に設けられる天面部２５と、通路部２３の前部上面に設けられる照明取付部２７と、を有する。照明取付部２７には照明装置３１が取り付けられる。照明装置３１は所定の波長の有色光や白色光を前方に投光する。外装カバー２１は吐水部材１９の前部に脱着可能に取り付けられる。外装カバー２１は、照明装置３１を上方から覆うとともに、吐水部材１９の横幅方向Ｘ両端部１９ａ（図３参照）を前方から覆うように設けられる。
【００２５】
通路部２３には、吐出口１３の他、流入口３５と、これらを連通する吐出通路３３とが内部に形成される。吐出通路３３は、吐出口１３の延びる方向に横長な形状を有し、後述する貯溜室３７と絞り流路３９とにより形成される。流入口３５は吐出通路３３の下壁面７１に形成され、これを通して上流側である給水路１７から貯溜室３７内に水が送り込まれる。
【００２６】
貯溜室３７では流入口３５から流入する水が貯溜水として一時的に溜められる。貯溜室３７の上流側には、その貯溜室３７の一部を画定する誘導面８１が設けられる。誘導面８１は、吐出通路３３の上下に対向する一対の下壁面７１と上壁面７３の両方に設けられる。誘導面８１は、貯溜室３７の奥側から絞り流路３９の入口３９ａに向かうにつれて、その下壁面７１と上壁面７３同士の間隔を連続的に狭めるように設けられる。
【００２７】
絞り流路３９は貯溜室３７の下流側に設けられ、貯溜室３７と吐出口１３を連通する。絞り流路３９は、一対の下壁面７１と上壁面７３との間隔である通路高さが貯溜室３７より小さくなるように形成される。絞り流路３９は、その入口３９ａから吐出口１３までの範囲にかけて、略一定の通路高さに形成される。貯溜室３７内の貯溜水は絞り流路３９を通して吐出口１３に送り出される。貯溜水は絞り流路３９を通るときに絞られることで流速が高まり、吐出口１３から勢いよく吐水流Ｗが吐き出される。このとき、貯溜室３７内の貯溜水は誘導面８１に沿ってスムーズに流れ、乱れや圧力損失の発生を抑えられる。
【００２８】
図５は吐水装置１０の分解斜視図である。
吐水部材１９は、第１分割部材としての下側分割部材５１と、第２分割部材としての上側分割部材５３をねじ等の固定具（図示せず）により組み付けて構成される。各分割部材５１、５３は樹脂成形品であり、吐水部材１９を上下に分割した形状を有する。吐出通路３３は各分割部材５１、５３により画定される。下側分割部材５１の下壁面７１からは柱状体としての間隔保持部６９が立ち上がる。間隔保持部６９は横幅方向Ｘに間隔を空けて複数配置される。間隔保持部６９は、図示しないが、その上面が吐出通路３３の上壁面７３に接触し、吐出通路３３の上壁面７３と下壁面７１の間隔を保持する。これにより、吐出通路３３の通路高さを狭めるような荷重が吐水部材１９に加わる場合でも、その間隔を保持でき、吐水流Ｗの形状の乱れを抑え易くなる。
【００２９】
図６は吐出通路３３を示す平面図である。本図は下側分割部材５１の平面図でもある。
吐出通路３３の横幅方向Ｘ、奥行方向Ｙの寸法を通路幅、奥行寸法とすると、吐出通路３３は、平面視において、通路幅より奥行寸法が小さくなるように形成される。また、吐出通路３３は、その横断面（図示しない）が通路高さより通路幅が大きくなるように横長に形成される。吐出通路３３の横幅方向Ｘ両側の側壁面３３ａは、貯溜室３７の奥側から吐出口１３側に近づくにつれて、吐出通路３３の通路幅が広がるように形成される。流入口３５は吐出通路３３の横幅方向Ｙに間隔を空けて形成される。
【００３０】
図７（ａ）は吐出通路３３の下壁面７１に設けられる勾配を示す図であり、図７（ｂ）は下壁面７１に設けられる排水領域９０を示す図である。図７（ａ）では高位置から低位置に向かう勾配を矢印により示す。
吐出通路３３の下壁面７１には勾配を有する排水領域９０が設けられる。排水領域９０は、本例では、下壁面７１の全域に亘り設けられる。排水領域９０の勾配は、吐出口１３から各流入口３５にかけての範囲を少なくとも含むように設けられることになる。ここでの勾配とは、浴槽２１０の取付面２１７に取り付けられたときの水平面に対する勾配をいう。排水領域９０の勾配は、詳述するように、排水領域９０上の残水を流入口３５まで案内可能に設けられる。
【００３１】
排水領域９０は、吐出通路３３の奥側にて吐出通路３３を横幅方向Ｘに分けるように設けられる複数の奥側領域９１と、各奥側領域９１より吐出口１３側に設けられる入側領域９３とにより形成される。各領域９１、９３は、詳述するように、複数の傾斜面を組み合わせて構成される。
【００３２】
入側領域９３は、下壁面７１の横幅方向Ｙ一端側の端辺部７１ａから他端側の端辺部７１ｂに亘る範囲に設けられる。入側領域９３は、勾配の異なる第１入側傾斜面９５と、第２入側傾斜面９７を組み合わせて構成される。第１入側傾斜面９５は、吐出口１３側に設けられ、第２入側傾斜面９７は、第１入側傾斜面９５より吐出通路３３の奥側に設けられる。図４に示すように、第１入側傾斜面９５は絞り流路３９及び吐出口１３の一部を形成し、第２入側傾斜面９７は誘導面８１を形成する。第１入側傾斜面９５は第２入側傾斜面９７より勾配が小さくなるように形成されるが、その勾配の大小関係はこれに限られない。
【００３３】
第１入側傾斜面９５には、奥行方向Ｙの吐出口１３側の前辺部９５ａが高位置となり、奥行方向Ｙの奥端側の奥辺部９５ｂが低位置となる勾配Ｐ１が設けられる。第２入側傾斜面９７にも、吐出口１３側の前辺部９７ａが高位置となり、奥端側の奥辺部９７ｂが低位置となる勾配Ｐ２が設けられる。第１入側傾斜面９５上の残水は、その勾配Ｐ１に従い自重により第２入側傾斜面９７まで案内され、第２入側傾斜面９７上の残水も、その勾配Ｐ２に従い自重により奥側の各奥側領域９１まで案内される。このように入側領域９３には、その上の残水を奥側の各奥側領域９１まで案内可能な勾配Ｐ１、Ｐ２が設けられる。
【００３４】
各奥側領域９１は、複数の流入口３５のそれぞれに対応する面領域として設けられ、その対応する流入口３５を囲むように設けられる。各奥側領域９１の境界部分には、間隔保持部６９と、横幅方向Ｙに隣接する第３傾斜面１０５（後述する）により形成される山部９９とが設けられる。各奥側領域９１は、その構成の大半が共通するため、以下では一の奥側領域９１のみを主に説明し、他の奥側領域９１は共通する構成要素に符号を付して説明を省略する。
【００３５】
図８は奥側領域９１の拡大図である。
奥側領域９１は、勾配の異なる第１傾斜面１０１、第２傾斜面１０３、第３傾斜面１０５を組み合わせて構成される。第１傾斜面１０１は、対応する流入口３５を横幅方向Ｙに跨ぐ範囲であって、流入口３５に対して吐出口１３寄りの範囲に設けられる。第１傾斜面１０１は、奥行方向Ｙの前端側の前辺部１０１ａが入側領域９３との境界部分となり、奥端側の奥辺部１０１ｂが他の傾斜面１０３、１０５や流入口３５との境界部分となる。第１傾斜面１０１は、前辺部１０１ａが高位置となり、奥辺部１０１ｂが低位置となる勾配Ｐ３が設けられる。
【００３６】
第２傾斜面１０３は、第１傾斜面１０１と、下壁面７１の奥端側の端辺部７１ｃとに挟まれる範囲であって、流入口３５に対して横幅方向Ｙ一端寄り（図７中左端寄り）の範囲に設けられる。第２傾斜面１０３は、奥行方向Ｙの奥端側の奥辺部１０３ａが高位置となり、その奥辺部１０３ａから吐出口１３に向かって下り傾斜となる勾配Ｐ４が設けられる。
【００３７】
第３傾斜面１０５は、第１傾斜面１０１と、下壁面７１の奥端側の端辺部７１ｃとに挟まれる範囲であって、流入口３５に対して横幅方向Ｙ他端寄り（図７中右端寄り）の範囲に設けられる。第３傾斜面１０５は、その横幅方向Ｙ他端側の横辺部１０５ａが高位置となり、その横辺部１０５ａから流入口３５に向かって下り傾斜となる勾配Ｐ５が設けられる。この横辺部１０５ａは他の奥側領域９１との境界部分となる。
【００３８】
隣接する第１傾斜面１０１と第２傾斜面１０３の間には第１谷部１０７が形成される。第１谷部１０７は、その一端部１０７ａが流入口３５に繋がるように設けられ、他端部１０７ｂが横幅方向Ｙの一端側の端辺部７１ａに繋がるように設けられる。また、隣接する第１傾斜面１０１と第３傾斜面１０５の間には第２谷部１０９が形成される。第２谷部１０９は、その一端部１０９ａが流入口３５に繋がるように設けられ、他端部１０９ｂが他の奥側領域９１との境界部分に繋がるように設けられる。各谷部１０７、１０９は、流入口３５に向かって下方に傾斜する勾配Ｐ６が設けられる。
【００３９】
各傾斜面１０１、１０３、１０５上の残水は、各傾斜面１０１、１０３、１０５の勾配Ｐ３〜Ｐ５に従い自重により低位置に流れ、低位置にある流入口３５か各谷部１０７、１０９まで案内される。各谷部１０７、１０９まで案内された残水は、谷部１０７、１０９の勾配Ｐ６に従い自重により低位置に流れ、流入口３５まで案内される。このように第１奥側領域９１Ａには、その上の残水を対応する流入口３５まで案内可能な勾配Ｐ３〜Ｐ６が設けられる。
【００４０】
図９は各谷部１０７、１０９と流入口３５の近傍を示す図である。
各谷部１０７、１０９の一端部１０７ａ、１０９ａは、流入口３５に対して略直交する方向に延びるように設けられる。ここでの「略直交」とは、平面視において、各谷部１０７、１０９と流入口３５とが繋がる位置を通る流入口３５の接線Ｌ１に対して、その一端部１０７ａ、１０９ａがなす鋭角での角度θが８０°〜９０°であることをいう。
【００４１】
この角度θが小さくなると、谷部１０７、１０９に沿って流れた残水が流入口３５に到達したときに、接線方向Ｑ１の速度成分が大きくなる。この速度成分が大きくなると、残水が流入口３５から下方にスムーズに流れ落ちず、流入口３５周りに沿うように流れてから下方に流れ落ち易くなる。また、この勢いが大きいと流入口３５からはみ出るように動き、その周縁部で勢いを失って止まる恐れもある。この点、本形態では谷部１０７、１０９が接線Ｌ１と略直交するように設けられるため、その接線方向Ｑ１の速度成分が小さくなることで、流入口３５に到達した残水を下方にスムーズに落とすことができ、流入口３５近傍で残水を早期かつ安定して減らし易くなる。
【００４２】
図４に示すように、下壁面７１の奥側の端辺部７１ｃは、その下壁面７１から立ち上がり、吐出通路３３の貯溜室３７を画定する側壁面３３ａに滑らかに繋がるように断面円弧状に形成される。下壁面７１の横幅方向Ｙ両側の端辺部７１ａ、ｂも、図示ししないが、同様に断面円弧状に形成される。この断面円弧状の形状は、図７に示すように、下壁面７１の横幅方向Ｙ一端側の端辺部７１ａの途中位置Ｒ１から、他端側の端辺部７１ｂの途中位置Ｒ２にかけて連続する範囲に形成される。これにより、下壁面７１の端辺部７１ａ、〜７１ｃ上の残水が低位置に案内され易くなり、その端辺部７１ｃ上での残水の滞留を抑えられる。
【００４３】
以上の実施形態に係る吐水装置１０の動作を説明する。
吐水部材１９では、図４に示すように、予め定められた流量の水がポンプ２２１（図２参照）から圧送され、その水が給水路１７を通して流入口３５から貯溜室３７内に流入し、貯溜室３７内に一時的に貯溜水として溜められる。貯溜室３７内に貯溜水が溜められた状態で流入口３５から水が送り込まれることにより、貯溜室３７内の貯溜水が加圧され、その水圧により絞り流路３９を通して貯溜水が吐出口１３に送り出され、吐出口１３から吐水流Ｗが吐き出される。
【００４４】
吐水動作の終了後、吐出通路３３の下壁面７１には残水が付着する。入側領域９３上の残水は、その勾配Ｐ１、Ｐ２に従い自重により各奥側領域９１まで案内される。各奥側領域９１上の残水は、その勾配Ｐ３〜Ｐ６に従い自重により対応する流入口３５まで案内される。このように排水領域９０上の残水は流入口３５まで案内される。
【００４５】
排水領域９０から流入口３５まで案内された残水は、図４に示すように、流入口３５から給水路１７内を通して低位置にある給水口１６まで自重により流れ、その給水口１６から装置外部である上部導水路２３７に排出される。このとき、第１大径部１７ａと小径部１７ｃの間にテーパー部１７ｂがあるので、給水路１７内を通して給水口１６まで残水が流れ易くなる。このように、吐水装置１０は、排水領域９０から流入口３５まで案内された残水を装置外部に排出可能に構成される。
【００４６】
上部導水路２３７内の残水は、図２に示すように、給水口１６より低位置にある分岐点２４１を通して下部導水路２３９まで自重により流れる。また、下部導水路２３９内の残水は、分岐点２４１から低位置にある吐水口２２３まで自重により流れ、その吐水口２２３から浴槽２１０内に吐き出される。なお、このとき、ポンプ２２１の駆動を止め、浴槽２１０の排水栓２４３を抜いて浴槽水２１１を排水口から排水する。
【００４７】
以上の実施形態に係る吐水装置１０の作用効果を説明する。
吐出通路３３の下壁面７１には排水領域９０が設けられるため、吐水動作の終了後、その排水領域９０上の残水を流入口３５から排水できる。よって、吐出通路３３内での残水の滞留を抑えられ、吐出通路３３内を衛生的に保つことができる。特に、本形態では、流入口３５まで案内された残水を装置外部に排出可能なため、装置内での残水の滞留をより抑えられる。また、本形態では、排水領域９０の勾配が吐出口１３から流入口３５にかけての範囲を含むように設けられるため、吐出通路３３の広い範囲での残水の滞留を抑えられる。
【００４８】
また、吐水装置１０からは、通常、温かい浴槽水２１１が吐き出される。しかし、吐水動作の終了後、吐出通路３３内に残水が滞留すると冷たくなり、次回の吐水動作の開始時に冷水が吐き出されてしまう。この点、本形態では、吐出通路３３内での残水滞留を抑えられるため、次回の吐水動作の開始時に吐き出される冷水量を抑えられ、入浴者への不快感の発生を抑えられる。特に、本形態では、流入口３５から上部導水路２３７に排出される残水が分岐点２４１を通して下部導水路２３９まで流れるため、次回の吐水動作の開始時に吐き出される冷水量を更に抑えられる。
【００４９】
また、傾斜面１０１、１０３、１０５上の残水の一部を谷部１０７、１０９に案内してから流入口３５まで流している。よって、谷部１０７、１０９上で残水が止まっても、そこより高位置から流れ落ちる他の残水と当たったときの勢いにより、止まった残水が再び流れ易くなり、残水の滞留をより抑えられる。
【００５０】
また、排水領域９０には、複数の流入口３５に対応する複数の奥側領域９１が設けられ、その奥側領域９１には残水を対応する流入口３５まで案内可能な勾配が設けられる。よって、排水領域９０に単数の流入口３５を設けるよりも、排水領域９０の外縁部から流入口３５までの水平距離を小さくできる。この水平距離が大きいと、排水領域９０の下端位置から上端位置までの高さ寸法を大きく確保する必要があり、それだけ装置全体の大型化を招く。この点、本形態では、この水平距離を小さくできるため、その高さ寸法を小さく抑えられ、装置全体の小型化を図れる。
【００５１】
また、かりに、排水領域９０に入側領域９３が設けられていないと、各奥側領域９１が吐出口１３まで連なるように設けられることになる。この場合、奥側領域９１の勾配の付け方によっては、吐出口１３の近傍にて横幅方向Ｙ位置により通路高さが変化してしまい、吐水流Ｗの形状に乱れが生じ易くなる。一方、本形態では、各奥側領域９１より吐出口１３側に入側領域９３が形成されるため、奥側領域９１の勾配の付け方によらず、入側領域９３で横幅方向Ｙ位置により通路高さが一定となるように設計でき、吐水流Ｗの形状の乱れを抑え易くなる。つまり、各奥側領域９１では、排水し易くするための勾配を設定しつつ、入側領域９３では、各奥側領域９１の勾配の影響を抑えつつ、吐水し易くするための勾配を設定でき、設計の自由度が高くなる。
【００５２】
［第２の実施の形態］
図１０は本実施形態に係る吐水装置１０を用いた取付構造１１０を示す側面断面図である。第２実施形態では、第１実施形態と同一の構成要素には同一の符号を付し、重複する説明を省略する。
第１実施形態では吐出通路３３の下壁面７１に勾配を有する排水領域９０が設けられた。本形態では下壁面７１に排水領域９０がなく、下壁面７１は、誘導面８１を画定する箇所を除き、全域に亘り平坦面により形成される。
【００５３】
また、第１実施形態では浴槽２１０の取付面２１７が水平面に対して平行に設けられたが、本形態では取付面２１７が水平面に対して傾斜して設けられる。取付面２１７は浴槽２１０の内側部分が高位置となり、外側部分が低位置となるように傾斜する。取付構造１１０では、吐水装置１０の装置本体１１は、吐出通路３３の下壁面７１が水平面に対して傾斜した状態で取付面２１７に取り付けられる。下壁面７１は、吐出口１３側が高位置となり、奥側が低位置となるように傾斜する。
【００５４】
図１１（ａ）は吐出通路３３の周壁面３３ｂに設けられる勾配を示す図であり、図１１（ｂ）は周壁面３３ｂに設けられる案内領域１１１を示す図である。図１１（ａ）では高位置から低位置に向かう勾配を矢印により示す。
流入口３５は吐出通路３３の奥側にて横幅方向Ｙに間隔を空けて形成される。吐出通路３３の横幅方向Ｙ両側と奥側を囲む周壁面３３ｂには、吐出通路３３の奥行方向Ｙの方向線に対して傾斜する勾配を有する案内領域１１１が設けられる。案内領域１１１は、吐出通路３３の周壁面３３ｂを横幅方向Ｘに分けるように設けられる第１面領域１１３及び第２面領域１１５により形成される。各面領域１１３、１１５は流入口３５に対応して設けられる。
【００５５】
第１面領域１１３は、吐出口１３の開口縁１３ａから流入口３５まで連なる第１斜面１１７と、吐出通路３３の横幅方向Ｘ中心部３３ｃから流入口３５まで連なる第２斜面１１９とを有する。平面視にて流入口３５の中心位置を通る奥行方向Ｙと平行な仮想線を線Ｌ２としたとき、第１斜面１１７、第２斜面１１９は、それぞれ、吐出口１３側から流入口３５に近づくにつれて、各面領域１１３、１１５に対応する流入口３５を通る仮想線Ｌ２に近づくように傾斜する勾配Ｐ７が設けられる。
【００５６】
下壁面７１上の残水は、下壁面７１の傾斜に従い自重により低位置に流れ、低位置にある流入口３５から吐出通路３３の周壁面３３ｂまで案内される。吐出通路３３の周壁面３３ｂまで案内された水は、周壁面３３ｂの勾配Ｐ７に従い自重により周壁面３３ｂに沿って低位置に流れ、流入口３５まで案内される。このように、下壁面７１の一部が水平面に対して傾斜した状態で浴槽２１０の取付面２１７に取り付けられることにより、下壁面７１上の残水が流入口３５まで案内される。
【００５７】
本実施形態に係る吐水装置１０の取付構造１１０でも、第１実施形態と同様に、吐出通路３３内での残水の滞留を抑えられ、吐出通路３３内を衛生的に保つことができる。
【００５８】
なお、第１実施形態に係る吐水装置１０についても、吐水部材１９は、下壁面７１上の残水が流入口３５まで案内されるように、その下壁面７１の一部である排水領域９０が水平面に対して傾斜した状態で浴槽２１０に取り付けられているといえる。つまり、このような吐水装置１０と浴槽２１０を備える取付構造１１０が開示されていると理解できる。
【００５９】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６０】
吐水装置１０は、その取付対象となる基体が浴槽２１０である例を説明したが、基体の具体的構成はこれに限られない。吐水装置１０は、この他にも洗面所の洗面台や、キッチンの流し台等を基体として取り付けられてもよい。いずれの場合でも、基体に取付面２１７を設け、その取付面２１７に吐水装置１０を取り付けてよい。
【００６１】
吐出口１３は横長なスリット状に形成され、吐出通路３３は吐出口１３の延びる方向に横長に形成された。これらの形状はこれに限られず、たとえば、円形状等に形成されてもよい。給水路１７や流入口３５は断面円形状に形成されたが、これに限られず、断面矩形状等に形成されてもよい。
【００６２】
上側分割部材５３と下側分割部材５１は樹脂成形品である例を説明したが、他の金属鋳造品等でもよい。上側分割部材５３と下側分割部材５１は、吐水部材１９を上下に分割した形状を有する第１分割部材、第２分割部材として説明した。これらは、この他にも、横幅方向Ｘに分割した形状を有していてもよい。また、吐水部材１９は、複数の分割部材により構成されずに、一体成形品により構成されてもよい。下側分割部材５１と上側分割部材５３は固定具により脱着可能に組み付けられたが、これに限られず、スナップフィット等により組み付けられてもよい。
【００６３】
排水領域９０は下壁面７１の全域に設けられたが、下壁面７１の一部にのみ設けられてもよい。この場合、排水領域９０は、下壁面７１の奥端側の端辺部７１ｃから吐出口１３に向かう途中位置にかけての範囲に設られてもよい。このとき、その途中位置から吐出口１３にかけての範囲では吐出口１３に向けて下り傾斜するような勾配を設け、その途中位置より奥側では流入口３５に残水が案内され、その途中位置より前方では吐出口１３に残水が案内されるようにしてもよい。
【００６４】
排水領域９０の各奥側領域９１は、複数の傾斜面１０１、１０３、１０５の間に各谷部１０７、１０９が形成されたが、これら傾斜面を円錐状に形成して谷部１０７、１０９が形成されないようにしてもよい。また、排水領域９０は複数の奥側領域９１と入側領域９３とにより形成されたが、単数または複数の奥側領域９１のみにより形成されてもよい。この場合、奥側領域９１は、下壁面７１の奥端側の端辺部７１ｃから吐出口１３にかけての全範囲に形成されてもよい。また、入側領域９３は複数の入側傾斜面９５、９７により形成されたが、単数の入側傾斜面により形成されてもよい。
【符号の説明】
【００６５】
１０  吐水装置、  １３  吐出口、  １９  吐水部材、  ３３  吐出通路、  ３５  流入口、  ７１  下壁面、  ９０  排水領域、  ９１  奥側領域（面領域）、  ９３  入側領域（面領域）、  １０１  第１傾斜面、  １０３  第２傾斜面、  １０５  第３傾斜面、  １０７  第１谷部、  １０７ａ  一端部、  １０９  第２谷部、  １０９ａ  一端部、  １１０  取付構造。
【図１】
2019058701.tif 000003
【図２】
2019058701.tif 000004
【図３】
2019058701.tif 000005
【図４】
2019058701.tif 000006
【図５】
2019058701.tif 000007
【図６】
2019058701.tif 000008
【図７】
2019058701.tif 000009
【図８】
2019058701.tif 000010
【図９】
2019058701.tif 000011
【図１０】
2019058701.tif 000012
【図１１】
2019058701.tif 000013
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
水を吐き出す吐出口と、給水路から水が送り込まれる流入口と、前記吐出口と前記流入口とを連通する吐出通路と、が内部に形成される吐水部材を備え、
前記流入口は前記吐出通路の下壁面に形成され、
前記吐出通路は、平面視にて、前記流入口から前記吐出通路の横幅方向に広がるように形成され、
前記吐出通路の周壁面の一部と前記給水路の内面の一部とは、前記流入口を通る側面断面において、前記流入口を跨いで直線的に連続するように設けられることを特徴とする吐水装置。
【請求項２】
前記吐出通路の周壁面は、前記流入口に連なり前記流入口から前記横幅方向の一方側に延びる第１斜面と、前記流入口に連なり前記流入口から前記横幅方向の他方側に延びる第２斜面とを有し、
前記横幅方向と直交する水平方向を奥行方向としたとき、
前記第１斜面と前記第２斜面は、前記吐出口側から奥側に向かうにつれて、平面視にて前記流入口の中心位置を通る前記奥行方向と平行な仮想線に近づくように、前記奥行方向の方向線に対して傾斜している請求項１に記載の吐水装置。
【請求項３】
前記第１斜面は、前記吐出口の開口縁から前記流入口まで連なることを特徴とする請求項２に記載の吐水装置。
【請求項４】
請求項１から３のいずれかに記載の吐水装置と、
前記吐水装置が取り付けられる浴槽と、を備えることを特徴とする浴槽装置。